(57)【特許請求の範囲】
【請求項１】
少なくとも前後一対の針床と、
各針床の長手方向に並列される複数の針溝のそれぞれに配置される編針と、
編針に備わる複数のバットに作用して、編針を針溝の長手方向に進退させることで編針に編成動作を行わせるカムシステムと、を備え、
前記編針は、
前記カムシステムが作用することで編針を進退させる編成用バットと、
編針の長手方向に歯口側に向かって順次第１ポジションと第２ポジションの少なくとも二つのポジションを取り得、そのポジションに応じて編針に行わせる編成動作を異ならせる選択用バットと、
前記選択用バットのポジションを変更させる上げバットと、
を有し、
前記カムシステムは、
前記選択用バットが第２ポジションにあるときに編成用バットに作用して編針を進出させるニードルレイジングカムと、
前記ニードルレイジングカムの左右に一対設けられ、ニードルレイジングカムの作用により進出した編針を後退させる度山カムと、
前記選択用バットが第１ポジションにあるときに、その選択用バットの走行軌道上に突出して前記選択用バットを針溝内に沈み込ませる作用状態、および前記走行軌道上に突出せずに前記選択用バットに作用しない不作用状態の二つの状態を取り得る左右一対の選択プレッサと、
前記上げバットを前記歯口に向かって突き上げることで、前記選択用バットを前記第１ポジションから前記第２ポジションに移動させる左右一対の上げバットレイジングカムと、
を有し、
編地の編成にあたって前記カムシステムが針床の長手方向に沿って往復する横編機であって、
両選択プレッサは、前記カムシステムの進行方向の後行側となったときに、前記編成用バットが前記度山カムに作用しないように前記編成用バットを針溝内に沈み込ませるために、前記選択用バットを針溝内に沈み込ませる長さに形成され、かつ、
前記進行方向の先行側で前記上げバットに前記上げバットレイジングカムが作用するに伴い、前記選択用バットが第１ポジションから第２ポジションに遷移する分岐点が、先行側の選択プレッサに重複するように、前記上げバットレイジングカムが位置決めされており、
前記分岐点に重複する位置から前記選択プレッサの一部あるいは全部を退避させる退避機構を備えることを特徴とする横編機。
【請求項２】
両選択プレッサは、前記カムシステムの中心線から離れた位置にある外側分割プレッサと、前記中心線から近い位置にある内側分割プレッサとに二分割されており、
前記退避機構は、前記外側分割プレッサを前記内側分割プレッサと独立して作用状態と不作用状態に切り替える構成であり、
前記外側分割プレッサが作用状態にあるときに外側分割プレッサが前記選択用バットに作用する位置と、
前記内側分割プレッサのみが作用状態にあるときに内側分割プレッサが前記選択用バットに作用する位置と、
の間で、前記上げバットに前記上げバットレイジングカムが作用するように上げバットレイジングカムが位置決めされていることを特徴とする請求項１に記載の横編機。
【請求項３】
前記内側分割プレッサは、前記外側分割プレッサに向かって張り出し、前記外側分割プレッサと重複する張出部を有し、前記張出部は、その縁部に向かうに従って傾斜した傾斜面を備えることを特徴とする請求項２に記載の横編機。
【請求項４】
前記張出部は、先端部と、先端部よりも薄く形成された第一薄肉部と、を有し、
前記外側分割プレッサは、前記第一薄肉部に対応して薄く形成された第二薄肉部と、前記先端部を受け入れる凹部と、を有することを特徴とする請求項３に記載の横編機。
【請求項５】
前記退避機構は、前記選択プレッサを前記分岐点に重複する位置から前記カムシステムの中心線に向かう前記走行軌道に沿った方向にスライドさせる構成であり、
前記選択プレッサが前記走行軌道上で前記カムシステムの中心線から遠ざかってスライドしたときに、前記選択プレッサが前記選択用バットに作用する位置と、
前記選択プレッサが前記走行軌道上で前記カムシステムの中心線に向かってスライドしたときに、前記選択プレッサが前記選択用バットに作用する位置と、
の間で、前記上げバットに前記上げバットレイジングカムが作用するように上げバットレイジングカムが位置決めされていることを特徴とする請求項１に記載の横編機。
【発明の詳細な説明】
【技術分野】
【０００１】
本発明は、従来よりも編成効率に優れる横編機に関する。
【背景技術】
【０００２】
横編機は、少なくとも前後一対の針床と、各針床に並設される多数の針溝のそれぞれに配置される編針と、針床の長手方向に沿って往復運動するキャリッジとを備える（例えば、特許文献１や２を参照）。キャリッジにはカムシステムが搭載されており、このカムシステムにより編針に編成動作（ニット、タック、ミス、および前後の針床間での編目の受け渡し）を行なわせる。
【０００３】
これらの編成動作は、カムシステムと共にキャリッジに備わる選針アクチュエーターにより編針の動作を制御することにより行われる。図５は、編針１００とカムシステム２００との対応状態を示す概略説明図である。この図５では、説明の便宜上、カムシステム２００の一部のみを示す。また、図中には、編目の目移しを行う際、編針に備わる一部のバットがカムシステム２００上に描く走行軌道を示す。
【０００４】
特許文献１，２に示す横編機の編針１００は、フックを有するニードル本体１と、ニードル本体１を針溝の長手方向に進退させるニードルジャック２と、ニードルジャック２を進退させるか否かを制御するセレクトジャック３と、針溝の長手方向におけるセレクトジャック３のポジションを変化させるセレクタ４とを有する。このような編針１００は、揺動式あるいは直動式の選針アクチュエーター９９による二段階の選針を受けて、その選針の結果とカムシステム２００の状態に応じた編成動作を行う。編針１００の選針は、選針アクチュエーター９９により選針されたセレクタ４により、針溝の長手方向におけるセレクトジャック３のポジションを変えることで行われる。セレクトジャック３のポジションには、Ｂポジション、Ｂポジションよりも歯口側（ニードル本体１側）のＨポジション、Ｈポジションよりも歯口側のＡポジションの三つがある。
【０００５】
上記セレクトジャック３のポジションに応じてニードル本体１を針溝沿いに移動させるニードルジャック２には、編成用バット２１および目移し用バット２２が設けられている。これらバット２１，２２にカムシステム２００が作用することで、ニードルジャック２が針溝に沿って進退し、編成動作が行われる。代表して、対向する編針から編目を受ける動作と、対向する編針に編目を渡す動作について説明する。
【０００６】
まず、編目の受け動作について説明する。編目の受け動作を行うにあたって、セレクトジャック３は、一段階目の選針を経てＨポジション（第１ポジション）となっており、カムシステム２００の可動ニードルレイジングカム８３は没状態、トランスファーカム８８，８９は出状態（カム８９は常に出状態で没状態とはならない）、ハーフプレッサ９１，９２は、セレクトジャック３の先端部に形成される選択用バット３１の走行軌道上に配置され、タックプレッサ（選択プレッサ）９０は当該走行軌道上から退避している。
【０００７】
このような配置でキャリッジが走行すると、選択用バット３１が、カムシステム２００のハーフプレッサ９１により針溝内に沈み込まされ、それによってセレクトジャック３の先端部が、ニードルジャック２の中間部を湾曲させ、ニードルジャック２の編成用バット２１を針溝に沈ませる。その結果、ニードルジャック２の編成用バット２１に固定ニードルレイジングカム８０が作用せず、ニードルジャック２は針溝に沿って移動しない。
【０００８】
次に、選択用バット３１が走行軌道上にあるハーフプレッサ９１を通過し終わると、選択用バット３１は針溝から浮上し、それに伴ってニードルジャック２に備わる両バット２１，２２も針溝から浮上する。その結果、編成用バット２１に、固定ニードルレイジングカム８０の中間部に形成される受け用トランスファーカム８１が作用し、ニードル本体１が歯口側に突き上げられた後、目移し用バット２２に、トランスファーカム８８の下端面が作用し、ニードル本体１が歯口から離れる方向に引き下げられ、編目の受け動作が完了する。以降は、選択用バット３１がハーフプレッサ９２により針溝に沈み込まされ、それによって編成用バット２１が度山カム８６に接触することなく度山カム８６を通過する。
【０００９】
次に、編目の渡し動作について説明する。編目の渡し動作を行うにあたって、セレクトジャック３は、一段階目の選針を経てＨポジションとなった後、二段階目の選針を経てＡポジション（第２ポジション）となっており、可動ニードルレイジングカム８３は没状態、トランスファーカム８８，８９は出状態となっている。なお、ハーフプレッサ９１，９２、およびタックプレッサ９０は、Ｈポジションの走行軌道から退避した状態であってもＡポジションの走行軌道に重複しないので、これらプレッサ９０，９１，９２の配置は問われない。
【００１０】
上述した配置でキャリッジが走行すると、選択用バット３１は一度も針溝内に沈み込まされることはなく、図示するように、バット２１，２２はカムシステム２００に沿った走行軌道を描いて編目の渡し動作が行われる。
【先行技術文献】
【特許文献】
【００１１】
【特許文献１】特公平２−１０２６２号公報
【特許文献２】国際公開第２００７／０７４９４４号
【発明の概要】
【発明が解決しようとする課題】
【００１２】
近年では、横編機における更なる編成効率の向上が望まれており、既存のカムシステムに備わる各カムの配置や形状を見直すことが検討されている。
【００１３】
本発明は、上記事情に鑑みてなされたものであり、その目的の一つは、従来よりも更に編成効率を向上させることができる横編機を提供することを目的とする。
【課題を解決するための手段】
【００１４】
本発明者は上記課題を解決するにあたり、以下の検討を行った結果、ハーフプレッサの構成に着目した。
【００１５】
編成過程において、１段階目の選針を経てＨポジションとなった複数の編針１００を、更に２段階目の選針でＨポジションのままの編針１００と、ＨポジションからＡポジションに変更された編針１００とに振り分ける場合がある。同一の編成コースで前後の針床間で双方向に編目の受け渡しをする場合がそれに該当する。既に説明したように、編目を渡す編針１００はＡポジション、編目を受ける編針１００はＨポジションとなる。
【００１６】
セレクトジャック３をＨポジションからＡポジションに上昇させるには、ハーフプレッサ９１により選択用バット３１が針溝に沈み込まされる前に、ハーフプレッサ９１が作用しないＡポジションに選択用バット３１を突き上げる必要がある。そのため、選択用バット３１がＨポジション（第１ポジション）からＡポジション（第２ポジション）に遷移する分岐点ＢＰは、ハーフプレッサ９１の外側（図５中に一点鎖線で示すカムシステム２００の中心線から離れる側）に位置させる必要がある。つまり、セレクタ４の上げバット４１を歯口側に突き上げるセレクタレイジングカム（上げバットレイジングカム）８７の位置も、選針アクチュエーター９９の位置も、ハーフプレッサ９１により規定されることになる。参考までに図５中に、ハーフプレッサ９１が選択用バット３１に作用し始める位置（右側点線）と、セレクトジャック３をＡポジションにするセレクタレイジングカム８７が上げバット４１に作用し始める位置（左側点線）とを示す。
【００１７】
ここで、図５を見ると分かるように、先行側のハーフプレッサ９１は、編成用バット２１が固定ニードルレイジングカム８０に接触するかなり前から選択用バット３１を針溝内に沈み込ませている。つまり、ハーフプレッサ９１は、先行側のハーフプレッサとして必要な長さよりも長いといえる。これは、編成方向が入れ替わってハーフプレッサ９１が後行側のハーフプレッサとなったときに、ハーフプレッサ９１が後行側のハーフプレッサとして必要な長さを有している必要があるからである。編成の後行側にあるハーフプレッサ９２は、度山カム８６による編針１００の引き込みを避けることに用いられ、その際、編成用バット２１が度山カム８６を確実に通過できる長さが必要になる。従って、ハーフプレッサ９１が後行側のハーフプレッサとなったときに、編成用バット２１が度山カム８５を確実に通過できる長さとなるようにハーフプレッサ９１が設計されている。
【００１８】
以上説明した検討に基づいて、本発明者は、ハーフプレッサの構成を再検討し、本発明横編機を完成させた。その本発明横編機を以下に規定する。
【００１９】
本発明横編機は、少なくとも前後一対の針床と、各針床の長手方向に並列される複数の針溝のそれぞれに配置される編針と、編針に備わる複数のバットに作用して、編針を針溝の長手方向に進退させることで編針に編成動作を行わせるカムシステムと、を備え、編地の編成にあたってカムシステムが針床の長手方向に沿って往復する横編機である。
【００２０】
横編機の編針は、編成用バットと選択用バットと上げバットとを備える。編成用バットは、カムシステムが作用することで編針を進退させる。選択用バットは、編針の長手方向に歯口側に向かって順次第１ポジションと第２ポジションの少なくとも二つのポジションを取り得、そのポジションに応じて編針に行わせる編成動作を異ならせる。上げバットは、選択用バットのポジションを変更させる。
【００２１】
また、横編機のカムシステムは、ニードルレイジングカムと、ニードルレイジングカムの左右に一対設けられる度山カムと、左右一対の選択プレッサと、左右一対の上げバットレイジングカムとを備える。ニードルレイジングカムは、選択用バットが第２ポジションにあるときに編成用バットに作用して編針を進出させる。度山カムは、ニードルレイジングカムの作用により進出した編針を後退させる。両選択プレッサは、選択用バットが第１ポジションにあるときに、その選択用バットの走行軌道上に突出して選択用バットを針溝内に沈み込ませる作用状態、および走行軌道上に突出せずに選択用バットに作用しない不作用状態の二つの状態を取り得る。上げバットレイジングカムは、上げバットを歯口に向かって突き上げることで、選択用バットを第１ポジションから第２ポジションに移動させる。
【００２２】
上記構成を備える本発明横編機では、両選択プレッサは、カムシステムの進行方向の後行側となったときに、編成用バットが度山カムに作用しないように編成用バットを針溝内に沈み込ませるために、選択用バットを針溝内に沈み込ませる長さに形成されている。また、本発明横編機では、進行方向の先行側で上げバットに上げバットレイジングカムが作用するに伴い、選択用バットが第１ポジションから第２ポジションに遷移する分岐点が、先行側の選択プレッサに重複するように、上げバットレイジングカムが位置決めされている。そして、本発明横編機は、上記分岐点に重複する位置から選択プレッサの一部あるいは全部を退避させる退避機構を備えることを特徴とする。
【００２３】
本発明横編機の一形態として、両選択プレッサが、カムシステムの中心線から離れた位置にある外側分割プレッサと、中心線から近い位置にある内側分割プレッサとに二分割されていても良い。その場合、退避機構は、各分割プレッサをそれぞれ独立して作用状態と不作用状態に切り替える構成とする。そして、この横編機では、次の（１）と（２）の間で、上げバットに上げバットレイジングカムが作用するように上げバットレイジングカムが位置決めされている。
（１）外側分割プレッサが作用状態にあるときに外側分割プレッサが選択用バットに作用する位置。
（２）内側分割プレッサのみが作用状態にあるときに内側分割プレッサが選択用バットに作用する位置。
【００２４】
分割プレッサを備える本発明横編機の一形態として、内側分割プレッサは、外側分割プレッサに向かって張り出し、外側分割プレッサと重複する張出部を備えていても良い。その場合、張出部は、その縁部に向かうに従って緩やかに傾斜した傾斜面を備えることが好ましい。
【００２５】
また、張出部を備える内側分割プレッサとした場合、張出部は、先端部と、先端部よりも薄く形成された第一薄肉部と、を有し、外側分割プレッサは、第一薄肉部に対応して薄く形成された第二薄肉部と、先端部を受け入れる凹部と、を有することが好ましい。
【００２６】
また、本発明横編機の一形態として、退避機構は、両選択プレッサを分岐点に重複する位置からカムシステムの中心線に向かう走行軌道に沿った方向にスライドさせる構成であっても良い。そして、この横編機では、次の（３）と（４）の間で、上げバットに上げバットレイジングカムが作用するように上げバットレイジングカムが位置決めされている。
（３）選択プレッサが走行軌道上でカムシステムの中心線から遠ざかってスライドしたときに、選択プレッサが選択用バットに作用する位置。
（４）選択プレッサが走行軌道上でカムシステムの中心線に向かってスライドしたときに、選択プレッサが選択用バットに作用する位置。
【発明の効果】
【００２７】
本発明横編機によれば、第１ポジションにある選択用バットに先行側の選択プレッサが作用する位置を、従来よりもカムシステムの中心線側に寄せることができる。つまり、選択用バットを第１ポジションから第２ポジションにする上げバットレイジングカム、および選針アクチュエーターの位置を、従来よりもカムシステムの中心線側に寄せることができる。そして、これらの構成を寄せた分だけ、一つのカムシステムから次のカムシステムまでのピッチを詰めることができ、その結果、キャリッジの往復ストロークを短くできるので、編成効率を向上させることができる。また、カムシステム間のピッチが詰まることにより、キャリッジを小型化・軽量化できるので、編成速度も向上させることができる。
【図面の簡単な説明】
【００２８】
【図１】実施形態１に記載の横編機における編針とカムシステムの対応状態を示す概略説明図である。
【図２】図１で使用した二つの分割プレッサからなる選択プレッサの概略構成図であって、（Ａ）は外側分割プレッサの正面図、（Ｂ）は（Ａ）の下面図、（Ｃ）は内側プレッサの正面図、（Ｄ）は（Ｃ）の下面図、（Ｅ）は外側分割プレッサと内側分割プレッサとを組み合わせたときの正面図である。
【図３】実施形態２に記載の横編機における編針とカムシステムの対応状態を示す概略説明図である。
【図４】図３で使用したキャリッジの移動方向にスライド可能に構成された選択プレッサの概略構成図であって、（Ａ）は選択プレッサの正面図、（Ｂ）は（Ａ）の下面図である。
【図５】従来の横編機における編針とカムシステムの対応状態を示す概略構成図である。
【発明を実施するための形態】
【００２９】
以下、本発明の実施形態を図に基づいて説明する。本発明の横編機は、カムシステムのうち、ハーフプレッサ（選択プレッサ）とセレクタレイジングカム（上げバットレイジングカム）の構成に特徴があり、これら以外の構成は、図５を参照する従来の横編機と同一である。従って、以下の実施形態では、主として従来の横編機との相違点を説明する。なお、図１，３における一点鎖線は、カムシステムの中心線である。
【００３０】
＜実施形態１＞
図１に示す本実施形態のハーフプレッサ７，８は、図５に示す従来のハーフプレッサ９１，９２と紙面左右方向に同じ長さを有する。また、その配置も従来と同じである。従来との相違点は、これらハーフプレッサ７，８が、Ｈポジション（第１ポジション）の選択用バット３１の走行軌道に沿った方向に、外側分割プレッサ７Ａ（８Ａ）と内側分割プレッサ７Ｂ（８Ｂ）とに二分割されていることである。カムシステム２００の中心線側に配される内側分割プレッサ７Ｂは、編成用バット２１が固定ニードルレイジングカム８０に接触する前に、選択用バット３１を針溝内に沈み込ませ、それによって編成用バット２１を針溝内に沈み込ませることができる長さに形成されている。これら外側分割プレッサ７Ａ，（８Ａ）は、ソレノイドなどの適宜なアクチュエーターで構成された退避機構により、内側分割プレッサ７Ｂ（８Ｂ）と独立して紙面上下方向に揺動させることができるようになっている。但し、外側プレッサ７Ａ（８Ａ）のみが走行軌道上に残る作用状態となることはない。
【００３１】
まず、ハーフプレッサ７，８の詳細な構成を図２に基づいて説明する。なお、ハーフプレッサ７，８は互いに左右対称な形状であるため、図２ではハーフプレッサ７のみ図示する。
【００３２】
図２（Ａ），（Ｃ）に示すように、外側分割プレッサ７Ａも内側分割プレッサ７Ｂも平板状の部材であって、図２（Ｂ），（Ｄ）に示す下端面がカムプレートから突出する方向にカムプレートに配置される（図１を合わせて参照）。
【００３３】
外側分割プレッサ７Ａには、板厚方向に外側分割プレッサ７Ａを貫通する貫通孔からなる凹部７１と、凹部７１の内側分割プレッサ７Ｂ側の縁部から外側分割プレッサ７Ａの紙面右側の縁部に向かって形成される薄肉部（第二薄肉部）７２とを有する。なお、凹部７１は、後述する内側分割プレッサ７Ｂの先端部７５が嵌め込むことができるように形成されていれば良いので、貫通孔ではなく単なる窪みであっても良い。
【００３４】
また、外側分割プレッサ７Ａの下端面のうち、外側分割プレッサ７Ａの幅方向の中間部から薄肉部７２とは反対側の縁部までの部分は、外側分割プレッサ７Ａの長手方向、即ち、図１の紙面奥方向に向かって傾斜している。この傾斜面７０の傾斜によって選択用バット３１を損傷することなく滑らかに針溝に沈み込ませることができる。
【００３５】
一方、内側分割プレッサ７Ｂには、外側分割プレッサ７Ａ側に張り出した張出部７３が形成されている。張出部７３の中間部分には、他の部分よりも薄い薄肉部（第一薄肉部）７４が形成されている。そのため、図２（Ｅ）に示すように、外側分割プレッサ７Ａと内側分割プレッサ７Ｂとが重なって一つのハーフプレッサ７となったとき、薄肉部７２，７４同士が重なる。その際、張出部７３における薄肉部７４よりも先端にある先端部７５は、外側分割プレッサ７Ａの凹部７１に配置され、ハーフプレッサ７全体で厚みと強度が確保される。このような内側分割プレッサ７Ｂの張出部７３と、外側分割プレッサ７Ａの構成により、両分割プレッサ７Ａ，７Ｂの係合を強固にできる。また、張出部７３が外側分割プレッサ７Ａに重複していても、内側分割プレッサ７Ｂと外側分割プレッサ７Ａとを組み合わせたときに、両者の間に形成される段差を小さくすることができる。仮に段差が大きくなると、両分割プレッサ７Ａ，７Ｂを組み合わせてハーフプレッサ７としたときに、いずれかの分割プレッサが選択用バット３１に作用しなくなる恐れがある。
【００３６】
また、内側分割プレッサ７Ｂの下端面の両側は、内側分割プレッサ７Ｂの幅方向縁部に向かって内側分割プレッサ７Ｂの上端側に傾斜している。この傾斜により形成される傾斜面７８，７９も、外側分割プレッサ７Ａの傾斜面７０と同様に、選択用バット３１を滑らかに針床に沈み込ませるためのものである。なお、傾斜面７８は、所定の厚みを有する先端部７５を含むので、十分な強度を備える。
【００３７】
一方、本実施形態のセレクタレイジングカム８７は、その形状は、従来と同じであるが、カムシステム２００おける位置が従来よりもカムシステム２００の中心線側に寄っている（図１参照）。その位置は、次の（１）および（２）の間で、上げバット４１にセレクタレイジングカム８７が作用し始めるように決定されている。この位置は、図中の上下方向に伸びる三本の点線のうち、中央の点線の位置であり、選択用バット３１がＨポジションからＡポジションに遷移する分岐点ＢＰの位置である。
（１）図中、左側の点線の位置。この位置は、外側分割プレッサ７Ａが作用状態にあるときに外側分割プレッサ７Ａが選択用バット３１に作用する位置である。
（２）図中、右側の点線の位置。この位置は、内側分割プレッサ７Ｂのみが作用状態にあるときに内側分割プレッサ７Ｂが選択用バット３１に作用する位置である。
なお、上記（１）、（２）の位置が各分割プレッサ７Ａ（７Ｂ）の左端に一致しないのは、各分割プレッサ７Ａの左端に傾斜面７０（７８）（図２を参照）が形成されているからである。
【００３８】
次に、図１を参照して、前後の針床で双方向に編目の受け渡しを行ったときの編針に備わる各バットの走行軌道を説明する。その場合、先行側のハーフプレッサ７の外側分割プレッサ７Ａは、選択用バット３１の走行軌道から外れる位置に配置された不作用状態、内側分割プレッサ７Ｂは、当該走行軌道上に配置される作用状態となる。タックプレッサ９０は不作用状態、後行側のハーフプレッサ８の両分割プレッサ８Ａ，８Ｂは共に作用状態、可動ニードルレイジングカム８３は没状態、トランスファーカム８８は出状態となっている。
【００３９】
上述した状態のカムシステム２００に対して、セレクトジャック３をＨポジションのままとした編針１００では、選択用バット３１は内側分割プレッサ７Ｂにより針溝内に沈み込まされる。選択用バット３１が沈み込まされる位置（以下、没位置）は、分割プレッサ７Ａ，７Ｂが一体となったハーフプレッサ７に比べて、カムシステム２００の中心線側に寄せられる。また、没位置が、カムシステム２００の中心線側に寄っていることで、セレクトジャック３をＨポジションからＡポジションに突き上げる位置も、カムシステム２００の中心線側に寄せることができる。ハーフプレッサ７の長さと位置は、図５を参照した従来のハーフプレッサ９１と同じであるから、本実施形態の横編機では、セレクタ４を歯口側に突き上げるセレクタレイジングカム８７と選針アクチュエーター９９とが、従来よりもカムシステム２００の中心線側に寄せられていることになる。その結果、キャリッジにおけるカムシステム２００と、このカムシステム２００に隣接するカムシステム（図示せず）とのピッチを詰め、キャリッジの往復ストロークを短くすることができ、その結果として編成効率を向上させることができる。また、隣接するカムシステム間のピッチが詰まることで、カムシステムを搭載するキャリッジをコンパクト化することができる。
【００４０】
なお、後行側のハーフプレッサ８では外側分割プレッサ８Ａが作用状態にあるため、編成用バット２１は度山カム８６により引き下げられることなく、度山カム８６を確実に通過できる。そのため、編目の受け動作において、編目を受け取った編針１００が度山カム８６により引き下げられることがない。
【００４１】
＜実施形態２＞
実施形態２では、図３，４に基づいて実施形態１とは異なるハーフプレッサを備える横編機を説明する。この実施形態２の横編機では、ハーフプレッサの構成以外は実施形態１と同様である。
【００４２】
この横編機に備わる二つのハーフプレッサ６，６は、同様の構成を備え、従来と同様に一枚の部材からなる。このハーフプレッサ６，６は、図５に示す従来のハーフプレッサ９１よりも幅方向に短いが、当該ハーフプレッサ９１と同様に作用状態、不作用状態を切り替えられるように揺動可能に構成されている。揺動方向は、図３、図４（Ｂ）においては紙面上下方向、図４（Ａ）においては紙面奥行き方向である。このような従来の構成に加えてこのハーフプレッサ６，６は、Ｈポジションの選択用バッド３１の走行軌道に沿ってスライドさせる適宜なアクチュエーターで構成された退避機構を備える。ハーフプレッサ６，６は、カムシステム２００の中心線から最も遠い位置にスライドしたときに、図５に示す従来のハーフプレッサ９１，９２と同じ配置になる。また、ハーフプレッサ６，６は、当該中心線から最も近い位置にスライドしたときでも、編成用バット２１が固定ニードルレイジングカム８０に接触する前に、選択用バット３１を針溝内に沈み込ませるようになっている。ハーフプレッサを揺動、あるいはスライドさせる構成についてはソレノイド等のアクチュエーターを適宜採用すればすれば良い。
【００４３】
一方、本実施形態のセレクタレイジングカム８７の位置は、次の（３）および（４）の間で、上げバット４１にセレクタレイジングカム８７が作用し始めるように決定されている。この位置は、図中の上下方向に伸びる三本の点線のうち、中央の点線の位置であり、選択用バット３１がＨポジションからＡポジションに遷移する分岐点ＢＰの位置である。
（３）図中、左側の点線の位置。この位置は、ハーフプレッサ６が作用状態で、かつカムシステム２００の中心線から最も遠い位置にスライドしたときにハーフプレッサ６が選択用バット３１に作用する位置である。
（４）図中、右側の点線の位置。この位置は、ハーフプレッサ６が作用状態で、かつカムシステム２００の中心線から最も近い位置にスライドしたときにハーフプレッサ６が選択用バット３１に作用する位置である。
なお、上記（３）、（４）の位置がハーフプレッサ６の左端に一致しないのは、ハーフプレッサ６の左端に傾斜面６０（図４を参照）が形成されているからである。ここで、傾斜面６１は、選択用バット３１を徐々に針溝から浮上させるための傾斜面である。
【００４４】
次に、図３を参照して、前後の針床で双方向に編目の受け渡しを行ったときの編針に備わる各バットの走行軌道を説明する。その場合、先行側のハーフプレッサ６は、選択用バット３１の走行軌道上に配置されたままカムシステム２００の中心線側にスライドさせ、後行側のハーフプレッサ９は、当該走行軌道上に配置されたままカムシステム２００の中心線から離れる側にスライドさせておく。タックプレッサ９０は不作用状態、可動ニードルレイジングカム８３は没状態、トランスファーカム８８は出状態となっている。
【００４５】
上述した状態のカムシステム２００においても、実施形態１と同様に、選択用バット３１が沈み込まされる位置（以下、没位置）を、図５を参照する従来の横編機に比べて、カムシステム２００の中心線側に寄せることができる。また、没位置がカムシステム２００の中心線側に寄っていることで、セレクトジャック３をＨポジションからＡポジションに突き上げる位置も、カムシステム２００の中心線側に寄せることができる。その結果、実施形態１と同様の理由で、編成効率の向上、およびカムシステムを搭載するキャリッジのコンパクト化を達成することができる。
【００４６】
＜実施形態３＞
実施形態１，２では、編針１００を４つの部材で構成したが、そのような構成に限定されない。例えば、編針は、２つの部材あるいは３つの部材で構成しても良い。その場合、ニードル本体１とそれ以外の部材とで編針を構成する。いずれにせよ、編成用バット２１、選択用バット３１、上げバット４１が備わる編針であれば良い。
【００４７】
＜実施形態４＞
実施形態１，２の横編機では、２段階の選針を経て選択用バット３１の３つのポジションを振り分けたが、１段階の選針で選択用バット３１を３つのポジションに振り分ける横編機にも本発明の構成を適用することができる（例えば、国際公開ＷＯ２００４／００３２７５公報を参照）。その場合も３つのポジションのうち、中間のＨポジションが本発明における第１ポジション、Ａポジションが本発明における第２ポジションとなる。
【００４８】
＜実施形態５＞
実施形態１〜４の横編機では、選択用バット３１が３つのポジションを取り得る構成となっていたが、選択用バットが２つのポジションしか取り得ない横編機にも本発明の構成を適用することができる。その場合、２つのポジションのうち、一方が第１ポジション、他方が第２ポジションとなる。
【００４９】
なお、本発明の実施形態は、上述した実施形態に限定されるわけではなく、本発明の要旨を逸脱しない範囲で適宜変更することができる。例えば、実施形態１の構成において、ハーフプレッサをカムプレートに垂直な方向に出没するように構成し、ハーフプレッサが没状態となったときに、選択用バットに対して不作用状態となるようにしても良い。また、選針アクチュエーターは、特許３４５９５１４号公報に示すような電磁吸着タイプであっても良い。
【符号の説明】
【００５０】
７，８，  ハーフプレッサ（選択プレッサ）
７Ａ，８Ａ  外側分割プレッサ
７０  傾斜面  ７１  凹部  ７２  第二薄肉部
７Ｂ，８Ｂ  内側分割プレッサ
７３  張出部  ７４  第一薄肉部  ７５  先端部  ７８，７９  傾斜面
６  ハーフプレッサ（選択プレッサ）
６０，６１  傾斜面
ＢＰ  分岐点
１００  編針
１  ニードル本体
２  ニードルジャック  ２１  編成用バット  ２２  目移し用バット
３  セレクトジャック  ３１  選択用バット
４  セレクタ  ４１  上げバット
２００  カムシステム
８０  固定ニードルレイジングカム
８１  受け用トランスファーカム
８３  可動ニードルレイジングカム
８５，８６  度山カム
８７  上げバットレイジングカム
８８，８９  トランスファーカム
９０  タックプレッサ
９１，９２  ハーフプレッサ（選択プレッサ）
９９  選針アクチュエーター
【図１】
0005788675.tif 000002
【図２】
0005788675.tif 000003
【図３】
0005788675.tif 000004
【図４】
0005788675.tif 000005
【図５】
0005788675.tif 000006